(57)【要約】【課題】適切なメンテナンスを容易に行うことができるとともに、ユーザーおよび管理拠点における負担を小さくすることができるシステム、給水装置の管理方法、および、管理装置を提供する。【解決手段】システムは、建物に給水するための給水装置と、給水装置の各種情報を管理するための管理装置と、を備える。給水装置は、給水装置の運転に関する運転関連情報を記憶する記憶部を有するとともに、外部端末に対して運転関連情報を送信可能に構成されている。管理装置は、ユーザーからの給水装置に関する問い合わせを特定するための特定情報を作成し、外部端末から特定情報と運転関連情報とを受信したときに、給水装置の情報を管理するための管理用メモリに運転関連情報を記憶する。【選択図】図６
2019011609.tif 000002
【特許請求の範囲】
【請求項１】
建物に給水するための給水装置と、前記給水装置の各種情報を管理するための管理装置と、を備えるシステムであって、
前記給水装置は、当該給水装置に関する運転関連情報を記憶する記憶部を有するとともに、外部端末に対して前記運転関連情報を送信可能に構成されており、
前記管理装置は、ユーザーからの前記給水装置に関する問い合わせを特定するための特定情報を作成し、前記外部端末から前記特定情報と前記運転関連情報とを受信したときに、前記給水装置の情報を管理するための管理用メモリに前記運転関連情報を記憶する、
システム。
【請求項２】
前記管理装置は、問い合わせをした前記ユーザーに関する情報と、問い合わせの対象である前記給水装置に関する情報との少なくとも一方を、前記特定情報に関連付けて前記管理用メモリに記憶する、
請求項１に記載のシステム。
【請求項３】
前記給水装置は、前記運転関連情報の少なくとも一部を表示できるように構成されている表示部を備えており、
前記表示部は、
通常の表示モードである第１表示モードと、
前記第１表示モードから切り替えられる第２表示モードと、
を有し、
前記給水装置は、前記外部端末に対して送信する前記運転関連情報に、前記第２表示モードで表示する第２情報の一部を含める、
請求項１または２に記載のシステム。
【請求項４】
前記管理装置は、前記特定情報を作成してから所定時間が経過すると当該特定情報を無効とする、
請求項１から３の何れか１つに記載のシステム。
【請求項５】
前記特定情報は、３桁から８桁の識別記号からなる、
請求項１から４の何れか１つに記載のシステム。
【請求項６】
前記管理装置は、前記管理用メモリに記憶された前記運転関連情報に基づいて前記給水装置をメンテナンスするためのメンテナンス情報を作成する、
請求項１から５の何れか１つに記載のシステム。
【請求項７】
前記給水装置は、前記給水装置と前記管理装置との少なくとも一方と通信するために前記外部端末が利用可能な通信用プログラムに関する情報を記録した情報記録部材を備えている、
請求項１から６の何れか１つに記載のシステム。
【請求項８】
前記給水装置は、前記給水装置における各種設定情報を変更可能な設定部を更に備え、
前記各種設定情報には、前記外部端末との通信を制限するための通信制限情報が含まれており、
前記給水装置は、前記管理装置へ送信するために前記運転関連情報の送信を前記外部端末から要請されたときには、前記通信制限情報による前記外部端末との通信の制限にかかわらず前記外部端末へ前記運転関連情報を送信する、
請求項１から７の何れか１つに記載のシステム。
【請求項９】
前記給水装置は、前記給水装置における各種設定情報を変更可能な設定部を更に備え、
前記各種設定情報には、前記外部端末との通信を制限するための通信制限情報が含まれており、
前記給水装置は、前記管理装置へ送信するために前記運転関連情報の送信を前記外部端末から要請されたときに、前記通信制限情報により前記外部端末との通信が制限されているときには、前記通信制限情報により通信が制限されていることを含む情報を前記外部端末へ送信する、
請求項１から７の何れか１つに記載のシステム。
【請求項１０】
前記給水装置は、上流側に受水槽が接続された受水槽方式で使用されており、
前記運転関連情報には、前記受水槽の水位が所定の渇水状態であることを示す情報が含まれる、
請求項１から９の何れか１つに記載のシステム。
【請求項１１】
前記給水装置は、上流側に水道本管が接続された直結給水方式で使用されており、
前記運転関連情報には、前記水道本管からの流入圧力が所定の低圧状態であることを示す情報が含まれる、
請求項１から９の何れか１つに記載のシステム。
【請求項１２】
前記給水装置は、近距離無線通信によって前記運転関連情報を前記外部端末に送信する、
請求項１から１１の何れか１つに記載のシステム。
【請求項１３】
建物に給水するための給水装置と、前記給水装置の各種情報を管理するための管理装置と、を備えるシステムにおける給水装置の管理方法であって、
前記給水装置に関する運転関連情報を前記給水装置が外部端末に対して送信するステップと、
ユーザーからの前記給水装置に関する問い合わせを特定するための特定情報を前記管理装置が作成するステップと、
前記管理装置が、前記外部端末から前記特定情報と前記運転関連情報とを受信したときに、前記給水装置の情報を管理するための管理用メモリに前記運転関連情報を記憶するステップと、
を含む給水装置の管理方法。
【請求項１４】
給水装置を管理するための管理装置であって、
ユーザーからの前記給水装置に関する問い合わせを特定するための特定情報を作成し、外部端末から前記特定情報と前記給水装置に関する運転関連情報とを受信したときに、前記給水装置の情報を管理するための管理用メモリに前記運転関連情報を記憶する、
管理装置。
【請求項１５】
管理装置において給水装置を管理するための管理方法であって、
ユーザーからの前記給水装置に関する問い合わせを特定するための特定情報を作成するステップと、
外部端末から前記特定情報と前記給水装置に関する運転関連情報とを受信したときに、前記給水装置の情報を管理するための管理用メモリに前記運転関連情報を記憶するステップと、
を含む給水装置の管理方法。
【発明の詳細な説明】
【技術分野】
【０００１】
本発明は、システム、給水装置の管理方法、および、管理装置に関する。
【背景技術】
【０００２】
給水装置は、一般に建物等の屋内または建物のすぐ傍に設置され、建物等の給水対象に水道水を供給するために広く使用されている。給水装置としては、近年、携帯機器などの外部端末にて操作することができるものが提案されている。携帯端末にて給水装置を操作することにより、給水装置の運転パネルを簡略化することができるとともに、携帯端末の操作部を利用して給水装置に不慣れなユーザーでも容易に給水装置を操作することができる。
【０００３】
こうした給水装置のメンテナンスにおいて、従来、作業者は紙媒体の作業指示書または報告書を使用していた。しかしながら、紙媒体は、ポンプのメンテナンス作業時に濡れてしまい、紙面がにじんだり紙が破損したりして取り扱いにくいという問題があった。
【０００４】
こうした実情に対して、装置に関わる情報を記憶するためのメモリ、および、このメモリと外部機器との間の情報入出力用の入出力インタフェースからなるＩＣタグを備えた給水装置が提案されている（例えば特許文献１）。特許文献１では、こうした構成により、装置から外部機器に装置に関わる情報を送信することができ、故障および修理に際して間違いのない適切な対応が可能となり信頼性の向上が図れる、と記載されている。
【先行技術文献】
【特許文献】
【０００５】
【特許文献１】特開２００７−１９２０５６
【発明の概要】
【発明が解決しようとする課題】
【０００６】
携帯機器などの外部端末を用いて給水装置のＩＣタグから装置に関する情報を入手する場合、外部端末の操作者がメンテナンス作業者に限らず建物等の管理人であったり住居人であったりする場合が考えられる。こうした管理人または住居人は、給水装置の運転に関する情報を見ても故障部位またはメンテナンス部位を判断できない場合があり、装置の設計寿命に対する影響等がない場合であっても過敏に反応してしまう場合がある。こうした場合には、製造会社または管理拠点などへの問い合わせが多くなったり、給水装置のメンテナンスが過多となって、給水装置のランニングコストの増加を招いてしまう。
【０００７】
このため、給水装置の運転に関する情報は、管理拠点等の管理装置に送信されて管理され、管理拠点において修理またはメンテナンスする部位が判断されることが好ましい。しかし、給水装置は機械室またはポンプ室などの電気的なノイズが多い環境に設置されることがあり、給水装置から管理装置へ直接に遠距離通信を行うことが難しい場合もある。これに対して、給水装置から外部端末へ一旦情報を送信し、外部端末から管理装置へと情報を送信することが考えられる。しかし、こうした場合にも、管理装置に過度に頻繁にデータが送信されてしまうと、管理装置での負担が大きくなってしまう。
【０００８】
本発明は、上述した事情に鑑みてなされたもので、適切なメンテナンスを容易に行うことができるとともに、ユーザーおよび管理拠点における負担を小さくすることができるシステム、給水装置の管理方法、および、管理装置を提供することを目的とする。
【課題を解決するための手段】
【０００９】
（形態１）形態１によれば、建物に給水するための給水装置と、給水装置の各種情報を管理するための管理装置と、を備えるシステムが提案される。かかるシステムの給水装置は、給水装置に関する運転関連情報を記憶する記憶部を有するとともに、外部端末に対して運転関連情報を送信可能に構成されている。また、システムの管理装置は、ユーザーからの給水装置に関する問い合わせを特定するための特定情報を作成し、外部端末から特定情報と運転関連情報とを受信したときに、給水装置の情報を管理するための管理用メモリに運転関連情報を記憶する。形態１によれば、給水装置から外部端末に対して運転関連情報が送信され、外部端末から特定情報と運転関連情報とが管理装置に送信されることにより、運転管理情報が管理用メモリに記憶される。つまり、管理装置は外部装置から特定情報が受信されないときには運転管理情報を管理用メモリに記憶しないので、管理装置に過度にデータが記憶されることを防止でき、管理装置の負担を小さくすることができる。そして、管理装置は、記憶したデータに基づいて給水装置のメンテナンス情報を作成するなど、給水装置を管理することができるので、給水装置の適切なメンテナンスを容易に行うことができる。
【００１０】
（形態２）形態２によれば、形態１のシステムにおいて、管理装置は、問い合わせをしたユーザーに関する情報と、問い合わせの対象である給水装置に関する情報との少なくとも一方を、特定情報に関連付けて管理用メモリに記憶する。
【００１１】
（形態３）形態３によれば、形態１または２のシステムにおいて、給水装置は、運転関連情報の少なくとも一部を表示できるように構成されている表示部を更に備えている。そして、表示部は、通常の表示モードである第１表示モードと、第１表示モードから切り替えられる第２表示モードと、を有する。そして、給水装置が外部端末に対して送信する運転関連情報に、第２表示モードで表示する第２情報の一部を含める。これにより、ユーザーによる運転パネルの操作が困難でも、運転関連情報に第２情報を含めることで、管理装置は第２情報に含まれる情報を取得することができる。
【００１２】
（形態４）形態４によれば、形態１から３の何れか１つのシステムにおいて、管理装置は、特定情報を作成してから所定時間が経過すると当該特定情報を無効とする。形態３によれば、特定情報の信頼性を向上できるとともに、特定情報を簡易な情報とすることができる。
【００１３】
（形態５）形態５によれば、形態１から４の何れか１つのシステムにおいて、特定情報は、３桁から８桁の識別記号からなる。ここで、識別記号は、数字、文字、記号の少なくとも１つを含む。形態５によれば、特定情報が簡易なため、特定情報の伝達、および、外部端末を操作するユーザーの便利性が向上する。
【００１４】
（形態６）形態６によれば、形態１から５の何れか１つのシステムにおいて、管理装置は、管理用メモリに記憶された運転関連情報に基づいて給水装置をメンテナンスするためのメンテナンス情報を作成する。形態５によれば、管理装置が作成したメンテナンス情報に基づいて、給水装置をメンテナンスすることができる。
【００１５】
（形態７）形態７によれば、形態１から６の何れか１つのシステムにおいて、給水装置は、給水装置と管理装置との少なくとも一方と通信するために外部端末が利用可能な通信用プログラムに関する情報を記録した情報記録部材を備えている。これにより、ユーザーは外部端末が利用可能な通信用プログラムを簡単に入手することができる。
【００１６】
（形態８）形態８によれば、形態１から７の何れか１つのシステムにおいて、給水装置は、給水装置における各種設定情報を変更可能な設定部を更に備え、各種設定情報には、外
部端末との通信を制限するための通信制限情報が含まれている。そして、給水装置は、管理装置へ送信するために運転関連情報の送信を外部端末から要請されたときには、通信制限情報による外部端末との通信の制限にかかわらず外部端末へ運転関連情報を送信する。
【００１７】
（形態９）形態９によれば、形態１から７の何れか１つのシステムにおいて、給水装置は、給水装置における各種設定情報を変更可能な設定部を更に備え、各種設定情報には、外部端末との通信を制限するための通信制限情報が含まれている。そして、給水装置は、管理装置へ送信するために運転関連情報の送信を外部端末から要請されたときに、通信制限情報により外部端末との通信が制限されているときには、通信制限情報により通信が制限されていることを含む情報を外部端末へ送信する。
【００１８】
（形態１０）形態１０によれば、形態１から９の何れか１つのシステムにおいて、給水装置は、上流側に受水槽が接続された受水槽式で使用されており、運転関連情報には、受水槽の水位が所定の渇水状態であることを示す情報が含まれる。
【００１９】
（形態１１）形態１１によれば、形態１から９の何れか１つのシステムにおいて、給水装置は、上流側に水道本管が接続された直結給水方式で使用されており、運転関連情報には、水道本管からの流入圧力が所定の低圧状態であることを示す情報が含まれる。
【００２０】
（形態１２）形態１２によれば、形態１から１１の何れか１つのシステムにおいて、給水装置は、近距離無線通信によって運転関連情報を外部端末に送信する。形態１２によれば、給水装置から外部端末への運転関連情報の送信を容易に行うことができる。
【００２１】
（形態１３）形態１３によれば、建物に給水するための給水装置と、給水装置の各種情報を管理するための管理装置と、を備えるシステムにおける給水装置の管理方法が提案される。かかる管理方法は、給水装置に関する運転関連情報を前記給水装置が外部端末に対して送信するステップと、ユーザーからの給水装置に関する問い合わせを特定するための特定情報を前記管理装置が作成するステップと、管理装置が、外部端末から前記特定情報と前記運転関連情報とを受信したときに、給水装置の情報を管理するための管理用メモリに前記運転関連情報を記憶するステップと、を含む。形態１３によれば、上記したシステムと同様の効果を奏することができる。
【００２２】
（形態１４）形態１４によれば、給水装置を管理するための管理装置であって、ユーザーからの給水装置に関する問い合わせを特定するための特定情報を作成し、外部端末から特定情報と給水装置に関する運転関連情報とを受信したときに、給水装置の情報を管理するための管理用メモリに運転関連情報を記憶する。形態１４によれば、上記したシステムと同様の効果を奏することができる。
【００２３】
（形態１５）形態１５によれば、管理装置において給水装置を管理するための管理方法が提案される。かかる管理方法は、ユーザーからの給水装置に関する問い合わせを特定するための特定情報を作成するステップと、外部端末から特定情報と給水装置に関する運転関連情報とを受信したときに、給水装置の情報を管理するための管理用メモリに運転関連情報を記憶するステップと、を含む。形態１５によれば、上記したシステムと同様の効果を奏することができる。
【図面の簡単な説明】
【００２４】
【図１】本発明の実施形態に係るシステムと外部端末との一例を示す図である。
【図２】本発明の実施形態に係る給水装置と外部端末との一例を示す平面図である。
【図３】本発明の実施形態に係る給水装置と外部端末との一例を示す正面図ある。
【図４】本発明の実施形態に係る給水装置と外部端末との一例を示す左側面図である。
【図４Ａ】表示部における表示モードの一例を示す状態還移図である。
【図５】実施形態のシステムの機能の一例を説明するためのブロック構成図である。
【図６】実施形態に係る給水装置の管理方法の一例を説明するための図である。
【図７】変形例の制御部および外部表示器を示す図である。
【図８】変形例に係るシステムの一例を示す図である。
【図９】システムの給水装置にて構成される給水設備の一例を示す略式図である。
【図１０】システムの給水装置にて構成される給水設備の別の一例を示す略式図である。
【発明を実施するための形態】
【００２５】
以下、本発明の実施形態について図面を参照して説明する。なお、図面では同一または相当する構成要素には同一の符号を付して、重複した説明を省略する。
【００２６】
図１は、本発明の実施形態に係るシステムと外部端末との一例を示す図である。図示するように、システム１００は、建物に水を給水するための給水装置１０と、給水装置１０における各種情報を管理するための管理装置９０と、を備えている。本実施形態の管理装置９０は、給水装置１０とは別の場所に設置されており、一例として複数の給水装置を管理する管理拠点に設けられる。給水装置１０と管理装置９０とは、外部表示器（外部端末）８０を介してデータのやりとりを行うことができるように構成されている。外部表示器８０としては、例えばスマートフォン、携帯電話、パソコン、タブレット等の汎用端末機器、または遠方監視器などの専用端末機器が採用される。給水装置は、ネットワーク環境が整っていない地下のポンプ室等に設置される場合がある。給水装置１０が直接通信を行うことができない環境下に設置されても、外部表示器８０を介して、給水装置１０と管理装置９０の間でデータのやりとりを行うことができる。
【００２７】
図２〜図４は本発明の実施形態に係る給水装置と外部端末との一例を示す模式図であり、図２は平面図、図３は正面図、図４は左側面図である。図示するように給水装置１０では、ベース２０の上に、２台のポンプ３０Ａ，３０Ｂと、これらポンプ３０Ａ，３０Ｂの中間に配置される圧力タンク５０とが載置されている。また、給水装置１０は、ポンプ３０Ａ，３０Ｂの吐出側に接続される吐出配管４０と、圧力タンク５０の上部に設置される制御盤６０とを具備して構成されている。以下各構成部品について説明する。
【００２８】
この給水装置１０は、オフィスビルや集合住宅などの建物への給水に使用される給水装置である。給水装置１０の吸込口３５Ａ，３５Ｂは、その上流に不図示の水道本管または受水槽といった水供給源が接続されている。給水装置１０の吐出し口である吐出集合管４３は、その下流に、不図示の配水管が接続されて建物の内部に配置された給水器具（例えば蛇口）に接続されている。給水装置１０は、水供給源の水を加圧し建物の各給水器具に供給するためのポンプ装置である。
【００２９】
給水装置１０の建物への給水方式としては、水道本管の水を一旦受水槽に貯留し、受水槽の水を給水対象へポンプにて増圧する受水槽方式、及び、水道本管の本管圧を利用しポンプにて増圧することにより給水対象へ水を供給する直結給水方式などがある。また、給水対象への給水方式としては、ポンプにて増圧した水を直接圧送する直送式、または、ポンプにて増圧した水を屋上のタンクに一旦貯留し、自然流下にて給水を行う高置水槽方式等がある。
【００３０】
ベース２０は、ポンプ３０Ａ，３０Ｂ等の各機器をその上に取り付けて基礎に固定するための台であって、略矩形の平板状で、長手方向の両側辺は下方向に折り曲げられた後に外方向に折り曲げられることで、Ｌ字状の固定辺２３，２３を構成している。
【００３１】
給水装置１０は、ポンプ３０Ａ，３０Ｂを駆動するモータ３３Ａ，３３Ｂを備えている
。ポンプ３０Ａ，３０Ｂは、吸込口３５Ａ，３５Ｂが設けられ、またポンプ３０Ａ，３０Ｂの上面には吐出し口３７Ａ，３７Ｂが設けられている。なお、直結給水方式の場合には、吸込口３５Ａ，３５Ｂが水道本管から分岐した供給管に逆流防止装置(不図示)を介して接続され、供給管には、水道本管の圧力を検出する図示しない圧力センサが設けられる。以下、供給管に設けられる水道本管の圧力を計測する圧力センサにより検出される圧力値を「流入圧力」という。
【００３２】
吐出配管４０は略Ｔ字状の配管であり、小水量を検知する流量検知器の一種であるフロースイッチ４９Ａ，４９Ｂ、及びチェッキ弁（逆止弁）４７Ａ，４７Ｂを介して、両ポンプ３０Ａ，３０Ｂの吐出し口３７Ａ，３７Ｂに、接続されている。また吐出配管４０の中央には吐出集合管４３が設けられている。これによって、両ポンプ３０Ａ，３０Ｂは、並列運転を行う。またチェッキ弁４７Ａ，４７Ｂによって、ポンプ３０Ａ，３０Ｂが停止したときに吐出配管４０内の水がポンプ３０Ａ，３０Ｂ側に逆流しない。また吐出配管４０の中央の下部にはこの吐出配管４０を圧力タンク５０に連結する連結配管４５が取り付けられ、さらに吐出配管４０には配管内圧力を検出する圧力センサ４８が取り付けられている。そして圧力タンク５０とチェッキ弁４７Ａ，４７Ｂの効果によって、ポンプ３０Ａ，３０Ｂが停止した後の吐出配管４０内の圧力は、水が使用されない限り一定圧力に保持される。以下、圧力センサ４８により検出される圧力値を「吐出し圧力」という。
【００３３】
なお、本実施例ではポンプ３０Ａ，３０Ｂとポンプ２台の構成だが、ポンプ台数は１台もしくは３台以上の複数台の構成としてもよい。
【００３４】
制御盤６０は、ケース６１を備え、そのケース６１内に、不図示の電源端子、ポンプ毎の漏電遮断器、ノイズフィルタ、誘導雷サージ吸収素子、およびリアクトル等を収容し、更には、ポンプの運転制御を行う各種電気回路からなる制御部６５を収容して構成されている。この制御部６５は、外部表示器（外部端末）８０と有線または無線により通信する通信部７３、運転パネル７９等を備えている。
【００３５】
給水装置１０を屋外にて使用する場合、上述した機器を外的環境から保護するためのカバー６２を設置するとよい。カバー６２は、カバー６２内の機器（特に、ポンプ３０Ａ，３０Ｂ，モータ３３Ａ，３３Ｂ，制御盤６０）を雨や直射日光等の外部環境から保護する。なお、本実施形態では、カバー６２は、ステンレス鋼などの耐腐食性のある金属から構成されているが、ＦＲＰ等の複合材やプラスチックなどの有機高分子材にて構成されてもよい。図４に示すように、カバー６２の側面の何れかには、供給管または給水管をカバー６２内に配管するための孔６２ａが形成されているとよい。カバー６２は、通信部７３もしくは運転パネル７９と対向する位置に、給水装置１０にカバー６２をかけた状態で給水装置１０の状態を確認できる窓部６３を備えるとよい。例えば、ユーザーが外部表示器８０にて給水装置の状態を確認するのであれば、窓部６３は通信部７３と外部端末間の通信信号が通過できる構造とし、例えば、樹脂等で形成されるとよい。ユーザーが運転パネル７９にて給水装置の状態を確認するのであれば、窓部６３は運転パネル７９の表示が視認できる構造とするとよい。例えば、窓部６３は透明の部材で形成される、もしくは着脱式としたりヒンジにて開閉できるとよい。
【００３６】
図５は、実施形態のシステム１００の機能の一例を説明するためのブロック構成図である。まず、システム１００における給水装置１０について説明する。図示するように、給水装置１０の制御部６５は、制御用メモリ（記憶部）６６と、演算部６９と、Ｉ／Ｏ部（入力部および出力部）７０と、運転パネル７９と、通信部７３と、を備えている。運転パネル７９は、設定部７１及び表示部７２を備えている。なお、制御部６５は、ＣＰＵ、メモリ等を備え、ソフトウェアを用いて所定の機能を実現するマイクロコンピュータとして構成されてもよいし、専用の演算処理を行うハードウェア回路として構成されてもよい。
【００３７】
図４のように制御部６５は通信部７３と別々の基板としてもよい。その場合は、制御部６５と通信部７３はシリアル通信や信号線等の有線もしくは無線通信にて接続される。制御部６５と通信部７３とを別々の基板とした場合は、給水装置１０から離れた場所（例えば、管理人室等）に設置し、制御部６５とシリアル通信や信号線等で接続された機器内に通信部７３を構成してもよい。
【００３８】
設定部７１は、外部操作により、給水を行うのに必要な各種設定値（設定情報）を設定するのに使用される（設定入力）。具体的には、設定部７１は不図示の操作ボタンやタッチパネル等を備え、設定部７１において設定された各種設定値は、制御用メモリ６６に記憶される。一例として、ユーザーは、設定部７１を介して、停止圧力、始動圧力、及び、その他制御に必要な情報を設定情報として入力（設定入力）し、設置現場にて設定情報を変更できるようになっている。
【００３９】
また、設定情報には、外部表示器（外部端末）８０による設定情報の変更を制限する変更制限情報が含まれてもよい。変更制限情報によって設定情報の変更が禁止されているときには、外部表示器８０から設定情報を変更することができない。この場合には、設定部７１を通じて変更制限情報を変更することで、外部表示器８０による設定情報の変更（設定入力）が許容される。これにより、例えば、メンテナンス作業中に、第三者が外部表示器８０により設定情報を変更することを防止することができる。また、給水装置１０は、マンションやビルの道路に面した外壁面に設置されることもあり、第三者が外部表示器８０を用いて不正なアクセスすることが懸念される。これら不正アクセスが確認された場合に、制御部６５は、変更制限情報を変更することによって、外部表示器８０による設定情報の変更を禁止するとよい。そうすれば、外部表示器８０にて設定入力ができなくなり、第三者における不正アクセス等を防止することができる。更に、設定情報には、外部表示器８０による通信を制限または禁止する通信制限情報が含まれてもよい。そうすれば、外部表示器８０にて給水装置１０の各種情報を閲覧することもできなくなるため、不正アクセスへのセキュリティがより向上することとなる。なお、通信制限情報並びに変更制限情報は、情報の内容ごとに設定できるものとしてもよい。
【００４０】
表示部７２は、ユーザーインターフェースとして機能し、制御用メモリ６６又は通信用メモリ６７に格納されている設定値等の各種データや、現在のポンプ３０Ａ，３０Ｂの運転状況（運転情報）、例えばポンプ３０Ａ，３０Ｂのそれぞれの運転または停止、運転周波数、電流、流入圧力、吐出し圧力、モータ部３３Ａ，３３Ｂを駆動するインバータのトリップ、吸入圧力低下警報、及び、受水槽警報等を表示する。
【００４１】
本実施形態では、表示部７２として、７セグメントＬＥＤ及び表示灯などの簡易な表示器を採用することができる。ただし、表示部７２は、こうした例に限定されず、ドットマトリクス方式による液晶表示器などであってもよい。また、外部表示器８０として、タッチ入力方式または押圧ボタン方式を用いた液晶画面での高機能表示器を採用することができる。この場合、表示部７２には簡易な情報を表示でき、外部表示器８０には大きな情報量の情報を表示できる。こうした構成により、外部表示器８０に、制御部６５によるポンプ３０Ａ，３０Ｂの運転状況に関した情報など（例えば、目標圧ＳＶ、現在圧ＰＶ、ポンプ３０Ａ，３０Ｂの運転・停止、及び、ポンプ３０Ａ，３０Ｂの回転速度など）を同一画面上に表示することによって、給水装置に不慣れなユーザーも誤解することなく、給水装置１０の状態を認識したり、設定変更を行うことができる。また、給水装置１０は、機械室またはポンプ室などの電気的なノイズの多い環境に設置されることがある。こうした場合に備えて、表示部７２として、液晶表示やタッチパネルよりも電気的ノイズに強い７セグメントＬＥＤや表示灯、機械的な押圧ボタンなどにて構成された表示器が使用されてもよい。これにより、外部環境から発生される電気的なノイズによって外部表示器８０の液
晶表示やタッチパネル操作に異常が発生した場合でも、表示部７２により給水装置１０の運転に必要な最低限度の表示および操作を行うことができる。したがって、給水装置１０を電気的ノイズの多い環境下にも設置することができる。
【００４２】
表示部７２における表示モードを示す状態還移図を図４Ａに示す。表示部７２として、７セグメントＬＥＤ及び表示灯などの簡易な表示器を採用した場合、表示部７２は、複数の表示モードを備え、表示モードを切り替えながら各種データを表示する。本実施形態では、一例として、表示モード１（第１表示モード）と表示モード２（第２表示モード）を備え、以下、表示モード１にて表示する情報を第１情報と称し、表示モード２にて表示する情報を第２情報と称する。表示モード１は、通常表示されているモードである。表示モード２は、表示モード１から何らかの操作によって切り替えられるモードであり、操作者が意図的に特定の情報（第２情報）を表示する。具体的には、まず、電源起動後の給水装置１０は、表示モード１にて表示を行う。その後、設定部７１に備えられた不図示のモード切替えボタン（例えば、機能ボタンや設定ボタン等）を押下するなどのユーザーやメンテナンス員等の操作者の操作によって、表示モード１と表示モード２とが切り替わる。更に、表示モード１にて一定時間操作がなされないと、表示モード１が継続され、表示モード２にて一定時間操作がなされないと、自動的に表示モード１へ切り替わる。このようにして、表示部７２は、通常の表示モードである表示モード１と、表示モード１から切り替えられる表示モード２と有する。特に、カバー６２付きの給水装置１０では、運転パネル７９の操作を行うためには、カバー６２全体もしくはその一部を取り外す必要がある。よって、メンテナンス等でカバー６２を取り外すとき以外は、表示モード１の表示が継続される。本実施形態では、第１情報には、後述する運転情報の少なくとも１つが含まれ、第２情報には、少なくとも設定情報や履歴情報運転情報が含まれる。第１情報には、運転情報のうち複数の情報が含まれるとよい。例えば、吐出し圧力とポンプ３０Ａ，３０Ｂの回転速度とが同時に視認可能なように表示されてもよい。また、表示モード１では、給水装置１０の異常または警報が発生した際には、該当する異常・警報情報を優先的に表示するとよい。
【００４３】
さらに、外部表示器８０として、スマートフォン、携帯電話、パソコン、又は、タブレットなどの汎用端末機器を採用した場合には、これらの機器に、外部表示器８０として作用するための専用のアプリケーションソフトウエアをインストールさせてもよい。この場合には、専用のアプリケーションソフトウエアをユーザーのレベル又は目的に沿って複数用意してもよい。また、外部表示器８０にも上述した表示モード１と表示モード２を備えるとよい。
【００４４】
なお、制御部６５に運転パネル７９または表示部７２が設けられずに、外部表示器８０のみが設けられてもよい。この場合、上述した運転パネル７９の機能は外部表示器８０にて全て実施可能とする。給水装置１０には表示器自体を設ける必要がなくなるので、給水装置１０全体のコストを更に下げることが可能である。
【００４５】
制御用メモリ６６には、給水装置１０を制御するための制御プログラム、給水装置１０の装置情報、故障履歴、運転履歴、及び、設定部７１を通じて入力された設定情報等が格納されている。ここで、ポンプの出力は、モータ部３３Ａ，３３Ｂの容量やモータ部３３Ａ，３３Ｂを駆動するためのインバータの容量等にて代用してもよい。また、故障発生時には故障履歴、定期的に給水装置１０の運転履歴等の情報も制御用メモリ６６に記憶される。
【００４６】
制御用メモリ６６としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。制御用メモリ６６には、各種データ、例えば演算部６９における演算結果のデータ（運転時間、積算値
等）、圧力値（流入圧力、吐出し圧力）、設定部７１を通じて入力された設定情報、及びＩ／Ｏ部７０を通じて入力される、またはＩ／Ｏ部７０を通じて出力されるデータ等が格納される。
【００４７】
本実施形態の給水装置１０では、給水装置１０の運転に関する情報（運転関連情報）が制御用メモリ６６に記憶される。運転関連情報は、運転情報、履歴情報並びに設定情報を含む。運転情報の一例としては、給水装置１０の異常および警報情報、ポンプ３０Ａ，３０Ｂの運転・停止、吐出し圧力、流入圧力（受水槽方式の場合は受水槽水位）、ポンプ３０Ａ，３０Ｂ（モータ部３３Ａ，３３Ｂ）の電流値、ポンプ３０Ａ，３０Ｂの流量、ポンプ３０Ａ，３０Ｂの回転速度（周波数）、および、ポンプ３０Ａ，３０Ｂの温度のうち少なくとも１つが挙げられる。履歴情報の一例として、ポンプ３０Ａ，３０Ｂの積算運転時間、ポンプ３０Ａ，３０Ｂの積算運転回数、給水装置の故障履歴、設定値の変更履歴、メンテナンス履歴のうち少なくとも１つが挙げられる。設定情報の一例として、設定圧ＰＡ、各種故障を判断するための閾値、装置情報、のうち少なくとも１つが挙げられる。運転情報および履歴情報は、時刻と共に記憶されていることが好ましい。なお、これらの情報は、制御用メモリ６６が不揮発性記憶領域を有する場合にはその不揮発性記憶領域に記憶されてもよい。
【００４８】
更に、制御用メモリ６６は、図５に示すように第１記憶部６６ａと第２記憶部６６ｂとをそれぞれ備えていてもよい。そして、第１記憶部６６ａには、上述した表示モード１にて表示される各種情報（第１情報）が記憶され、第２記憶部６６ｂには、表示モード２にて表示される各種情報（第２情報）が記憶されてもよい。
【００４９】
Ｉ／Ｏ部７０としては、ポート等が使用される。Ｉ／Ｏ部７０は、圧力センサ４８の入力信号、及び、フロースイッチ４９Ａ，４９Ｂの信号等を受け入れて演算部６９に送る。演算部６９としては、ＣＰＵが使用される。演算部６９は、制御用メモリ６６に格納されているプログラム及び各種データ、並びにＩ／Ｏ部７０から入力される信号に基づいて、ポンプ３０Ａ，３０Ｂを運転するための各種データの設定、及び、演算等を行う。演算部６９からの出力は、Ｉ／Ｏ部７０に入力される。
【００５０】
また、Ｉ／Ｏ部７０とポンプ３０Ａ，３０Ｂを駆動するインバータとは、ＲＳ４２２，２３２Ｃ，４８５等の通信手段により互いに接続される。Ｉ／Ｏ部７０からポンプ３０Ａ，３０Ｂへは、各種設定値や周波数指令値、発停信号（運転・停止信号）などの制御信号がインバータへ送られ、ポンプ３０Ａ，３０ＢからＩ／Ｏ部７０へは、実際の周波数値や電流値等の運転状況（運転情報）がインバータから逐次送られる。
【００５１】
なお、Ｉ／Ｏ部７０とポンプ３０Ａ，３０Ｂを駆動するインバータとの間で送受信される制御信号としては、アナログ信号および／またはデジタル信号を用いることができる。例えば、回転周波数等にはアナログ信号を用い、運転停止指令等にはデジタル信号を用いることができる。また、３０Ａ，３０Ｂの可変速制御を行わない場合、インバータがなくてもよい。
【００５２】
通信部７３は、有線通信または無線通信によって外部表示器８０と通信可能なように構成されている。無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部６５と外部表示器８０とを近づけるだけで通信を完了させることができる点で有利である。また、有線通信としては、例えば制御部６５にＵＳＢ（Universal  Serial  Bus）のような外部接続端子が設けられ、ここに外部表示器８０が接続されることによって通信がなされてもよいし、ＲＳ４２２，２３２Ｃ，４８５等のシリアル通信を用いてもよい
。
【００５３】
制御部６５による給水装置１０の給水制御の一例について説明する。ポンプ３０Ａ，３０Ｂが停止している状態で吐出し圧力が所定の始動圧力にまで低下すると、制御部６５はポンプ３０Ａ，３０Ｂの少なくとも一方を始動させる。具体的には、制御部６５はポンプ３０Ａ，３０Ｂの駆動を開始するようにモータ部３３Ａ，３３Ｂ（インバータを備える場合にはインバータ）に指令を出す。ポンプ３０Ａ，３０Ｂの運転中は、設定された圧力（設定圧）により推定末端圧力一定制御または目標圧力一定制御などの制御が行われる。具体的には推定末端圧力一定制御の場合は、ポンプ３０Ａ，３０Ｂの回転数と目標圧力制御カーブとを用いてポンプ３０Ａ，３０Ｂの吐出し圧力に対する目標圧（ＳＶ）を設定し、目標圧力一定制御の場合は、設定圧を目標圧（ＳＶ）とする。また、吐出し圧力を現在圧（ＰＶ）とする。そして、ＳＶとＰＶの偏差にてＰＩＤ演算を行いポンプ３０Ａ，３０Ｂの指令回転数が設定される。なお、直結給水にて推定末端圧力一定制御を行う場合、流入圧力に基づいて目標圧力制御カーブを補正してもよい。具体的には目標圧力制御カーブを流入圧力だけ加算し、目標圧（ＳＶ）を算出する。また、制御部６５は、本実施形態のようにポンプが複数台ある場合は、同時に起動可能なポンプ台数（ポンプ並列運転台数）にて水量に応じたポンプの台数制御も行われる。
【００５４】
ポンプ３０Ａ，３０Ｂの運転中に建物での水の使用が少なくなると、フロースイッチ４９Ａ，４９Ｂは、過少水量を検出し、その検出信号を制御部６５に送る。制御部６５は、この検出信号を受けるとポンプ３０Ａ，３０Ｂに指令を出してポンプ３０Ａ，３０Ｂを所定回転数で運転させる。そして、制御部６５は、吐出し圧力が所定の運転停止圧力に達することにより圧力タンク５０に蓄圧したと判断すると、ポンプ３０Ａ，３０Ｂを停止（小水量停止）させる。ポンプ３０Ａ，３０Ｂが小水量停止した後に、再び建物内で水が使用されると吐出し圧力が始動圧力以下まで低下しポンプ３０Ａ，３０Ｂが始動する。なお、本実施形態のようにポンプが複数台ある場合には、始動するポンプ３０Ａ，３０Ｂをローテーションさせ、ポンプ３０Ａ，３０Ｂ内に水が滞留するのを防ぐことが好ましい。また、小水量を検知する方法としては、フロースイッチ４９Ａ，４９Ｂを用いずに、モータ部３３Ａ，３３Ｂの電流値による低負荷や締切圧力等その他の手段を用いてもよい。
【００５５】
次に、システム１００における管理装置９０について説明する。管理装置９０は、図５に示すように、演算部９２と、操作表示部９３と、通信部９４と、管理用メモリ９６を有する記憶部９５と、を備えている。なお、管理装置９０は、ＣＰＵ、メモリ等を備え、ソフトウェアを用いて所定の機能を実現するマイクロコンピュータとして構成されてもよいし、専用の演算処理を行うハードウェア回路として構成されてもよい。また、管理装置９０は、単一の装置によって構成されるものに限定されず、一例として互いに離隔して設けられた複数の装置によって構成されてもよい。
【００５６】
演算部９２は、記憶部９５に格納されているプログラム及び各種データ等に基づいて、給水装置１０を管理するための各種データ（例えば特定情報）の設定、及び、演算等を行う。操作表示部９３は、ユーザーインターフェースとして機能し、記憶部９５に格納されている各種データを表示することができる。
【００５７】
通信部９４は、有線通信または無線通信によって外部表示器８０と通信可能なように構成されている。本実施形態の管理装置９０は、複数の給水装置を管理する管理拠点に設置されて、公衆回線等のネットワークを介して外部表示器８０と通信する。ただし、通信部９４は、給水装置１０の通信部７３と同様に、無線通信として近距離無線通信、Ｂｌｕｅｔｏｏｔｈ（登録商標）およびＷｉ−Ｆｉなど、任意の方式の無線通信を利用してもよい。
【００５８】
記憶部９５には、管理装置９０を制御するための制御プログラムが記憶されている。また、記憶部９５には、複数の給水装置の装置情報、給水装置の機種ごとのメンテナンス情報、ならびに、管理している給水装置ごとの運転関連情報、故障履歴、及びメンテナンス履歴などが格納される管理用データが記憶されている。記憶部９５としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。記憶部９５には、各種データ、例えば演算部９２における演算結果のデータ（異常情報、メンテナンス情報）、及び通信部９４を通じて入力される、または通信部９４を通じて出力されるデータ等が格納される。
【００５９】
続いて、本実施形態のシステム１００における給水装置１０の管理方法について説明する。図６は、給水装置１０の管理方法の一例を説明するための図である。図６では、システム１００としての給水装置１０と管理装置９０とのそれぞれの制御を示しているとともに、外部表示器（外部端末）８０の制御についても併せて示している。
【００６０】
まず、前提として、システム１００における給水装置１０の制御部６５は、給水装置１０の運転に伴って運転関連情報を制御用メモリ６６に記憶する（ＳＷ００）。この給水装置１０による運転関連情報の記憶は、給水装置１０が運転されている間実行される。上記したように、運転関連情報としては、設定情報（設定値）の変更履歴、給水装置１０の異常情報、ポンプ３０Ａ，３０Ｂの運転・停止、ポンプ３０Ａ，３０Ｂの積算運転時間、ポンプ３０Ａ，３０Ｂの積算運転回数、ポンプ３０Ａ，３０Ｂの吐出し圧力、ポンプ３０Ａ，３０Ｂの流入圧力（受水槽方式の場合は受水槽水位）、ポンプ３０Ａ，３０Ｂ（モータ部３３Ａ，３３Ｂ）の電流値、ポンプ３０Ａ，３０Ｂの流量、ポンプ３０Ａ，３０Ｂの回転数（周波数）、および、ポンプ３０Ａ，３０Ｂの温度のうち少なくとも１つが含まれる。
【００６１】
いま、給水装置１０に異常または警報等が生じた場合を考える。このときには、給水装置１０の異常または警報等に気付いた水の使用者または、その知らせを受けた建物の管理者（以下、水の使用者や建物の管理者等をユーザーと記す）などが管理拠点に対して問い合わせをする。図６に示す例では、外部表示器８０から管理装置９０に対して問い合わせがなされている（ＳＥ０１）。このときには、一例として外部表示器８０にインストールされた専用のアプリケーションＡＰ１を通じて問い合わせがなされてもよい。また、外部表示器８０から管理装置９０に対して電子メールなどが送信されることにより問い合わせがなされてもよい。ただし、管理装置９０への問い合わせは、管理装置９０に直接に通信がなされるものに限定されず、オペレータまたは中継装置などを介して行われてもよい。一例として、外部表示器８０から管理拠点のオペレータに電話回線を通じて問い合わせがなされ、問い合わせを受けたオペレータが管理装置９０に問い合わせ情報を入力することにより、管理装置９０への問い合わせがなされてもよい。また、管理装置９０への問い合わせは、外部表示器８０からなされるものに限定されず、別の外部端末または固定電話などからなされてもよい。
【００６２】
管理装置９０は、ユーザーから給水装置１０について問い合わせがなされると、この問い合わせを特定するための特定情報を作成する（ＳＭ０２）。この特定情報は、ユーザーからの問い合わせ毎に割り振られる情報であり、管理装置９０は、他の問い合わせ（給水装置）に対して割り振った特定情報と重複しないように、特定情報を作成する。なお、管理装置９０は、ランダムに特定情報を作成するものとしてもよいし、問い合わせされた順番または問い合わせした外部表示器８０の端末情報等に基づいて所定の規則に従って特定情報を作成するものとしてもよい。管理装置９０は作成した特定情報を管理用メモリ９６に記憶する。具体的には、管理装置９０は、管理用メモリ９６のエリア内で有効な他の特定情報に上書きしないアドレスに記憶する。このときには、管理装置９０は、問い合わせがなされた時刻とともに特定情報を記憶部９５に記憶することが好ましい。また、管理装
置９０は、問い合わせをしたユーザーに関する情報（氏名または電話番号など）と、問い合わせの対象である給水装置に関する情報（住所など）との少なくとも一方を、客先情報として特定情報に関連付けて管理用メモリ９６に記憶することが好ましい。
【００６３】
本実施形態では、管理装置９０は４桁の数字を特定情報として作成する。また、作成された特定情報は、所定時間（有効時間Ｔ１）にわたって有効であり、管理装置９０が特定情報を作成してから所定時間が経過すると無効になるものとしている。具体的には、管理装置９０は、特定情報を作成したら計時を開始し、その計時値が有効時間Ｔ１以上となった特定情報を管理用メモリ９６から消去して無効とする。このように特定情報を、４桁の数字を用いて簡易な情報とすることにより、管理装置９０またはオペレータから外部表示器８０への特定情報の伝達が容易となるとともに、外部表示器８０のユーザーによる記憶および利用が容易となる。また、特定情報に有効時間Ｔ１を設けることにより、他の問い合わせと特定情報が重複することを防止することができるとともに、特定情報として、４桁の数字を用いた簡易な情報を採用することができる。管理用メモリ９６は、記憶できる特定情報の数が制限されている。有効時間Ｔ１が経過した特定情報は、管理用メモリ９６より消去することで、管理用メモリ９６を有効に活用できる。さらに、特定情報に有効時間Ｔ１を設けることにより、特定情報に対する信頼性を向上することができる。このとき、管理装置９０は、有効時間Ｔ１が経過してから所定期間（例えば数日など）が経過するまでは、その特定情報を他の問い合わせに対しても割り振らないものとしてもよい。なお、管理装置９０は、特定情報を問い合わせがなされた時刻等とともに管理用メモリ９６に記憶することにより、問い合わせに対して１対１に対応する情報（ユニーク情報）として管理することができる。ここで、特定情報の有効時間Ｔ１としては、例えば数時間、１日、２日、または、数日などとすることができる。ただし、特定情報は、有効時間Ｔ１がないものとしてもよく、有効時間Ｔ１に代えてまたは加えて、有効回数（例えば、数回）が設けられていてもよい。つまり、外部表示器８０から特定情報を用いた通信が有効回数なされた場合、特定情報が無効になるものとしてもよい。また、特定情報は、４桁の数字に限定されるものではなく、３桁から８桁の情報としてもよいし、１桁、２桁、または９桁以上の情報としてもよい。さらに、特定情報は、数字に代えて又は加えて、文字または記号などを用いてもよい。なお、給水装置は、異常や警報によって断水するので、その多くの場合で２４時間以内の迅速な復旧が行われる。そのため、例えば、数日といった有効時間Ｔ１を設けることができる。
【００６４】
管理装置９０が特定情報を作成すると、続いて、問い合わせをした者に対して管理装置９０から特定情報が通知される。図６に示す例では、管理装置９０から外部表示器８０に対して特定情報が通知されている（ＳＭ０３）。このときには、一例としてアプリケーションＡＰ１を通じて特定情報の通知がなされてもよい。また、管理装置９０から外部表示器８０に対して電子メールなどが送信されることにより特定情報の通知がなされてもよい。ただし、管理装置９０からの特定情報の通知は、管理装置９０からの直接の通信によってなされるものに限定されず、オペレータまたは中継装置などを介して行われてもよい。つまり、管理装置９０は操作表示部９３に特定情報を表示するものとし、管理装置９０を操作するオペレータから給水装置１０のユーザーに特定情報が通知されてもよい。また、管理装置９０への問い合わせに使用された手段と、特定情報を通知するための手段とは異なるものであってもよい。上記したように本実施形態では、特定情報が４桁の数字を用いた簡易な情報とされているので、管理装置９０からの特定情報の通知を容易に行うことができる。
【００６５】
続いて、給水装置１０のユーザーは、外部表示器８０を用いて給水装置１０に対して運転関連情報の送信を要請する（ＳＥ０４）。一例として外部表示器８０にインストールされた専用のアプリケーションＡＰ２を通じて外部表示器８０から給水装置１０へ要請がなされればよい。このとき、外部表示器８０から給水装置１０へ特定情報を書き込んでもよ
い。
【００６６】
外部表示器８０から要請を受けると、給水装置１０は、外部表示器８０へ運転関連情報を送信する（ＳＷ０５）。このとき、特に給水装置１０が近距離無線通信できるように構成されていると、外部表示器８０を給水装置１０の通信部７３に近づけるだけでＳＥ０４，ＳＷ０５を行うことができ、処理を簡易なものとすることができる
【００６７】
給水装置１０から外部表示器８０へ送られる運転関連情報の少なくとも一部には、上述した第１情報と第２情報が含まれる。給水装置１０は、カバー６２によって運転パネル７９の操作が困難な場合がある。ユーザーによる運転パネル７９の操作が困難でも、給水装置１０が運転関連情報に第２情報を含めることで、管理装置９０は第２情報に含まれる情報を取得することができる。ここで、第２情報の少なくとも一部は、外部表示器８０にて表示されないものとしてもよい。これにより、外部表示器８０を操作するユーザーが運転関連情報に対して過敏に反応してしまうことを防止できる。ここで、一例として、第２情報を履歴情報並びに設定情報とした場合、第２情報のうち、設定変更履歴、ポンプ３０Ａ，３０Ｂの積算運転時間、および、ポンプ３０Ａ，３０Ｂの積算運転回数については、外部表示器８０にて表示されないものとしてもよいし、設定情報のうち、各種故障を判断するための閾値については、外部表示器８０にて表示されないものとしてもよい。なお、運転関連情報は、少なくとも一部の情報が外部表示器８０において単に表示されないものとしてもよいし、暗号化などが施されていてもよい。
【００６８】
給水装置１０から運転関連情報を受信すると、外部表示器８０は、受信した運転関連情報を、管理装置９０から通知された特定情報とともに、管理装置９０へ送信する（ＳＥ０６）。このときには、外部表示器８０にインストールされた専用のアプリケーションＡＰ３を通じてデータの送信がなされてもよいし、電子メール等を通じてデータの送信がなされてもよい。管理装置９０は、運転関連情報と特定情報とを受信すると、受信した運転関連情報を記憶部９５（管理用メモリ９６）に記憶する（ＳＭ０７）。一方、管理装置９０は、運転関連情報を受信しても、特定情報が送信されていない場合および送信された特定情報が適正でない場合には、運転関連情報を管理用メモリ９６に記憶しない。なお、管理装置９０は、特定情報を外部表示器８０との適正な通信を確立するための情報として利用してもよい。また、管理装置９０は、運転関連情報が特定情報と共に適正に受信されたときには、外部表示器８０に対して運転関連情報を受信したことを通知するものとしてもよい。
【００６９】
外部表示器８０は、電波状況などの要因によって管理装置９０へ運転関連情報を正常に送信できないときには、管理装置９０との通信が確立するまで自動で定期的に管理装置９０との接続確認を行うものとしてもよい。
【００７０】
そして、管理拠点では、管理装置９０が外部表示器８０から受信した運転関連情報に基づいて、給水装置１０の異常またはメンテナンスについて検討される。図６に示す例では、管理装置９０が運転関連情報に基づいて、給水装置１０のメンテナンス情報を作成している（ＳＭ０８）。管理装置９０によるメンテナンス情報の作成は、管理装置９０にあらかじめ設定されている処理プログラムに基づいてなされればよい。管理装置９０は、メンテナンス情報として、給水装置１０の異常部位を特定したり、交換部品を特定したりしてもよい。ただし、給水装置１０の異常またはメンテナンスについての検討は、管理装置９０によってなされるものに限定されず、管理装置９０に記憶された運転関連情報に基づいてオペレータまたは作業者等によってなされてもよい。
【００７１】
管理拠点において給水装置１０の異常またはメンテナンスについて検討されると、管理拠点から給水装置１０のユーザー、または作業員に対してメンテナンス情報が通知される
ことが好ましい。一例として、管理装置９０から外部表示器８０へメンテナンス情報が電子メールにて送信される。作業員に対してメンテナンス情報を知らせるときには、管理用メモリ９６に記憶された給水装置１０の運転関連情報とともにメンテナンス情報が送信されてもよい。
【００７２】
以上説明した本実施形態のシステム１００によれば、システム１００の管理装置９０がユーザーからの給水装置１０に関する問い合わせを特定するための特定情報を作成する。そして、管理装置９０が外部表示器（外部端末）８０から特定情報と給水装置１０の運転関連情報とを受信したときに、運転関連情報を管理用メモリ９６に記憶する。これにより、管理装置９０に過度にデータが記憶されることを防止でき、管理装置９０の負担を小さくすることができる。また、外部表示器８０を操作するユーザー等は、例えば電話口において給水装置１０の説明を細かくしなくてもよく、給水装置１０の正確な情報を管理装置９０へ送信することができる。そして、管理拠点において、管理装置９０の管理用メモリ９６に記憶された給水装置１０の運転関連情報に基づいて給水装置１０のメンテナンス情報を作成することができる。これにより、作業者等は、予め必要な準備をして給水装置１０が設置された現場に向かうことができる。
【００７３】
ここで、また、外部端末が利用可能な通信用プログラムである上述したアプリケーションＡＰ１、アプリケーションＡＰ２、アプリケーションＡＰ３の機能のうち複数の機能を備えたアプリケーションＡＰを用いてもよい。その際には、アプリケーションＡＰには、その表示機能としてのメニュー画面を備え、メニュー画面でアプリケーションＡＰ１、アプリケーションＡＰ２、アプリケーションＡＰ３のそれぞれの機能を選択できるものとしてもよい。
【００７４】
給水装置１０は、アプリケーションＡＰに関する情報を記録した情報記録部材６４を備えていてもよい。そして、外部表示器８０は、情報記録部材６４を用いてアプリケーションＡＰを入手してもよい。情報記録部材６４は一例として二次元コードであり、アプリケーションＡＰ等をダウンロードできるウエブサイトヘのＵＲＬ（Uniform Resource Locators）が記憶されているとよい。情報記録部材６４は、給水装置１０自体または装置の周辺の所定位置に取り付けられていることが好ましい。ここで、一例として、図４に示されるように、情報記録部材６４がカバー６２に取り付けられていることで、カバー６２を取り外すことなく情報記録部材６４にアクセスすることができる。このように給水装置１０が情報記録部材６４を備えていることにより、外部表示器８０においてアプリケーションＡＰを容易に取得することができ、ユーザーの便宜を図ることができる。アプリケーションＡＰ１、アプリケーションＡＰ２、アプリケーションＡＰ３がそれぞれのアプリケーションとして構成されている場合は、情報記録部材６４は、それぞれのアプリケーションに関する情報を記録していてもよい。
【００７５】
（変形例１）
図７は、変形例の制御部および外部表示器を示す図である。この変形例では、通信部７３が、制御部側アンテナ部７６、集積回路７７、及び、記憶部７８を備えている。記憶部７８は、通信用の揮発性メモリ（不図示）並びに不揮発性メモリ（不図示）を含んでいる。集積回路７７は、制御部側アンテナ部７６、記憶部７８に電気的に接続されている。なお、図７に示す制御部６５Ａは表示部７２を備えていないが、表示部７２を備えてもよい。また、変形例の制御部６５Ａは、ポンプ３０Ａ，３０Ｂ等の給水装置１０の他の構成と一体に設けられていてもよいし、給水装置１０のデータを中継するための装置として給水装置１０の他の構成から離れて設けられてもよい。
【００７６】
変形例の外部表示器８０は、電波を送受信する表示器側アンテナ部８１と、表示部８２と、バッテリー８３と、データリーダー８４と、を備えている。この外部表示器８０では
、表示器側アンテナ部８１で受信したデータがデータリーダー８４で読み取られる。そして、データリーダー８４で読み取られたデータ（例えば、目標圧ＳＶ、現在圧ＰＶ、ポンプ３０Ａ，３０Ｂの周波数など）が表示部８２で表示される。また、外部表示器８０より給水装置１０の各種設定値を変更することも可能とする。バッテリー８３は、表示器側アンテナ部８１、データリーダー８４、および表示部８２に電力を供給する。
【００７７】
外部表示器８０として、例えばスマートフォン、携帯電話、パソコン、タブレット等の汎用端末機器を用いてもよく、遠隔監視器などの専用の端末機器を用いてもよい。特に、スマートフォンなどの汎用端末機器を外部表示器として使用すれば、専用の表示器を制作するコストが削減できるので、給水装置のコストを下げることができる。また、複数のユーザーが個々の汎用端末機器に給水装置１０の状態を表示させたり、設定を変更したりすることができるので、ユーザーのレベル又は目的に沿った操作を提供することが可能である。たとえば、マンションまたはビルの管理人のような給水装置に関する専門知識のないユーザーに対して、ポンプ３０Ａ，３０Ｂの制御に関する情報などを分かり易く知らせることができる給水装置を安価に提供することができる。
【００７８】
外部表示器８０は、近距離無線通信（ＮＦＣ：Near  Field  Communication）の技術によって制御部６５Ａと接続される。より具体的には、外部表示器８０を制御部６５Ａに近づけた状態で、表示器側アンテナ部８１が電波を発生すると、その電波を制御部側アンテナ部７６が受け取り、制御部側アンテナ部７６は電波を電力に変換する。この電力は集積回路７７および記憶部７８に供給されてこれら集積回路７７および記憶部７８を駆動する。外部表示器８０が記憶部７８のデータを読取る場合、集積回路７７は、電波に含まれる通信データに基づいて、記憶部７８に記憶されているデータを読み取り、制御部側アンテナ部７６にデータを送る。制御部側アンテナ部７６は、データとともに電波を表示器側アンテナ部８１に送信する。データリーダー８４は、表示器側アンテナ部８１が受信したデータを読み取り、そのデータを表示部８２に表示させる。また、外部表示器８０が記憶部７８のデータを変更する場合、集積回路７７は、電波に含まれる通信データに基づいて、記憶部７８のデータを変更し、制御部側アンテナ部７６にデータ変更が実行されたことを意味するデータを送る。制御部側アンテナ部７６は、データとともに電波を表示器側アンテナ部８１に送信する。データリーダー８４は、表示器側アンテナ部８１が受信したデータを読み取り、データ変更が実行されたことを表示部８２に表示させる。
【００７９】
外部表示器８０は、表示を消去するためのクリアボタン８６と、データをリセットするためのリセットボタン（不図示）を備えていてもよい。ユーザーがクリアボタン８６を押すと、表示部８２の表示が消去される。また、リセットボタンを押すと、リセット信号が制御部６５Ａに送信され、リセット信号を受信した制御部６５Ａは、メンテナンス情報などのデータをリセットする。本実施形態のクリアボタン８６は、表示部８２の画面上に現れる仮想的なボタンであるが、クリアボタン８６は表示部８２の外に設けられた機械的なボタンであってもよい。なお、実施形態および変形例の制御部６５，６５Ａにクリアボタン、リセットボタンを設けてもよい。
【００８０】
変形例では、制御部６５Ａの記憶部７８に記憶されているデータは、無線通信により制御部６５Ａから外部表示器８０に送られる。変形例によれば、給水装置１０の電源が入っていない場合でも、制御部側アンテナ部７６は外部表示器８０から発せられる電波から電力を発生し、集積回路７７および記憶部７８を駆動することができる。したがって、給水装置１０の電源が遮断されている場合などであっても、給水装置１０から外部表示器８０に運転関連情報等を受信することができる。そして、外部表示器８０から管理装置９０へ運転関連情報等が送信されることにより、管理装置９０において給水装置１０のメンテナンス情報等を作成することができる。
【００８１】
ＮＦＣは、数ｃｍの近距離にて相互通信する技術である。変形例の制御部６５Ａを給水装置１０の他の構成と一体に設けられている場合、外部表示器８０にて各種情報を表示または変更するときには、ユーザー及びメンテナンス員は、相互通信可能な距離まで外部表示器８０を制御部６５Ａに近づけることになる。このことは、外部表示器８０を操作するときは、ユーザーおよびメンテナンス員は給水装置１０の近くにいることを意味する。このため、例えば消耗品の交換作業中にリセットボタンが押されてポンプが起動するといった誤操作に起因した給水装置１０の予期しない動作を防止することに繋がる。また、複数の給水装置１０が設置された現場では、表示したい給水装置１０の近距離で相互通信が可能となる為、意図しない別の給水装置の状態を表示または設定変更してしまうという誤表示または誤操作を防止することができる。
【００８２】
（実施例２）
図８にシステム１０１を示す。システム１０１は、給水装置１０Ａ、給水装置１０Ｂ並びに給水装置１０Ａ、１０Ｂの各種情報を管理するための管理装置９０、を備える。給水装置１０Ａは給水設備１１０Ａに用いられており、現場Ａに設置されている。給水装置１０Ｂは、給水設備１１０Ｂに用いられており、現場Ｂに設置されている。現場Ａ、現場Ｂ並びに管理装置９０は、それぞれ異なる場所に設置されている。システム１０１において、外部表示器８０Ａ、８０Ｂと管理装置９０とは、インターネットなどの汎用的なネットワーク網（ネットワークＮｗ）を介して通信される。管理装置９０は、ネットワークＮｗを介して行われる通信では、管理装置９０が備えるデータベースへの書き込みのみを許可する。一例としては、アプリケーションＡＰを用いた書き込みのみが可能である。また、管理装置９０では、ＩＤとパスワード等によりアクセス権が管理されており、アクセス権を保有する人員（本実施例ではオペレータや作業員等）のみがデータベース上の情報を参照することができる。
【００８３】
図９は、システム１０１の給水装置１０Ａにて構成される給水設備１１０Ａの略式図である。給水装置１０Ａは、上記した給水装置１０と基本的に同一の構成を備えており、受水槽１６０に貯留された水をポンプ３０Ａ，３０Ｂにて増圧して給水対象である給水器具１７２へ供給する受水槽方式で使用されている。ここで、給水装置１０Ａにおける警報の一例として、渇水警報並びに満水警報を説明する。給水装置１０ＡのＩ／Ｏ部７０は、水位センサ１６２からの水位情報を入力する。水位センサ１６２は、複数の電極棒１６２ａ〜１６２ｅを備えており、受水槽１６０の水位を検出する。複数の電極棒１６２ａ〜１６２ｅは、長い方から順に、コモン電極棒１６２ａ、次からは、低い水位を検出できる順に、渇水警報のための電極棒１６２ｂ、市水流入弁１６３を開放するための電極棒１６２ｃ、市水流入弁１６３を閉止するための電極棒１６２ｄ、満水警報のための電極棒１６２ｅとなっている。そして、制御部６５は、水位が電極棒１６２ｃの検出範囲より低くなると水道本管１７０に接続される市水流入弁１６３を開く信号を出力し、水位が電極棒1６２ｄの検出範囲に至ると市水流入弁１６３を閉じる信号を出力することで、受水槽１６０内の水位を一定に保つ。また、制御部６５は、水位が電極棒１６２ｂの検出範囲より低くなると渇水警報を表示部７２に出力するとともにポンプ３０Ａ、３０Ｂを停止し、水位が電極棒１６２ｅの検出範囲より上に至ると満水警報を表示部７２に出力し、ポンプ３０Ａ、３０Ｂが運転中ならば運転を継続する。  
【００８４】
給水装置１０Ａの表示部７２は、受水槽の水位が所定の渇水状態である渇水警報発生時に、表示モード１にて渇水警報を表示し、表示モード２にて水位情報、各種設定値並びに故障履歴等を表示する。
【００８５】
図１０はシステム１０１の給水装置１０Ｂにて構成される給水設備１１０Ｂの略式図である。給水装置１０Ｂは、上記した給水装置１０と基本的に同一の構成を備えており、水道本管１７０の本管圧を利用しポンプ３０Ａ、３０Ｂにて増圧することにより給水対象で
ある給水器具１７２へ水を供給する直結給水方式で使用されている。ここで、給水装置１０Ａにおける異常の一例として、流入圧力が所定の低圧状態である流入圧低下異常について説明する。給水装置１０ＢのＩ／Ｏ部７０は、水道本管１７０の圧力を検出する流入圧センサ１７１からの信号を受信する。制御ユニット７０は、流入圧力である水道本管１７０の圧力が一定以下（例えば７ｍＡｑ以下）を一定時間（例えば３０秒）以上継続したと判断したら、流入圧低下異常の異常を表示部７２に出力するとともにポンプ３０Ａ、３０Ｂを停止する。更に、制御部６５は、水道本管１７０の圧力が一定以上（例えば１０ｍＡｑ以上）を一定時間（例えば１０秒）以上継続したと判断したら、流入圧低下異常の異常を解除し、表示部７２への出力も解除する。なお、流入圧センサ１７１は給水装置１０Ｂ内に備えられてもよい。
【００８６】
給水装置１０Ｂの表示部７２は、流入圧低下異常発生時に、表示モード１にて流入圧低下異常を表示し、表示モード２にて、流入圧センサの入力値、流入圧低下の閾値、検出時間等の各種設定値並びに故障履歴を表示するとよい。
【００８７】
給水装置１０Ａおよび１０Ｂにおいて、カバー６２が取り付けられている場合は、ユーザーＡは設定部７１のボタン操作ができないので、表示部７２は表示モード１の状態である。この場合、給水装置１０Ａおよび１０Ｂは、外部表示器８０Ａおよび８０Ｂが窓部６３を介して通信部７３に近づけられることで近距離無線通信ができるように構成されているとよい。
【００８８】
いま、給水装置１０Ａに渇水警報が生じた場合を考える。本実施形態では、図６に沿って説明を行うが、一部の動作は、外部表示器８０Ａに代わってもしくは加えてユーザーＡが実施する。渇水警報が生じると、ポンプ３０Ａ、３０Ｂの停止に伴って断水となる。断水に気が付いたユーザーＡから管理拠点のオペレータに対して電話にて問い合わせがなされる（ＳＥ０１）。このときには、問い合わせを受けた管理拠点のオペレータが、問い合わせの対象である給水装置１０Ａに関する情報である現場Ａの住所や、ユーザーＡに関する情報である氏名、電話番号などの客先情報（客先情報Ａ１）を操作表示部９３より入力して、管理用メモリ９６に記憶する。客先情報Ａ１は、作業員が現場Ａへ行くために必要な最低限の情報である。
【００８９】
次に、管理装置９０は、ユーザーＡからの給水装置１０Ａに関する問い合わせを特定するための特定情報（特定情報Ａ１）を作成する（ＳＭ０２）。管理装置９０は作成した特定情報Ａ１を記憶部９５の管理用メモリ９６に記憶する。このとき、管理装置９０には客先情報Ａ１と特定情報Ａ１を関連付けて記憶する。
【００９０】
次に、管理装置９０を操作するオペレータからユーザーＡに対して特定情報Ａ１が通知される（ＳＭ０３）。本実施形態では、特定情報Ａ１が４桁の数字などの簡易な情報とされているので、オペレータとユーザーＡとの通信手段が電話であっても、ユーザーＡは特定情報Ａ１を正しく認識することができる。
【００９１】
続いて、ユーザーＡは外部表示器８０Ａを用いて給水装置１０Ａに対して運転関連情報の送信を要請する（ＳＥ０４）。一例として、外部表示器８０Ａにインストールされた専用のアプリケーションＡＰを通じて外部表示器８０Ａから給水装置１０Ａへ要請がなされればよい。アプリケーションＡＰには、ユーザーＡが特定情報Ａ１を入力し一時的に記憶する機能を有するとよい。具体的には、ユーザーＡが特定情報Ａ１を入力した後に、給水装置１０Ａに対して運転関連情報の送信を要請するとよい。
【００９２】
外部表示器８０Ａから要請を受けると、給水装置１０Ａは、外部表示器８０Ａへ運転関連情報Ａ１を送信する（ＳＷ０５）。外部表示器８０Ａへ送信する運転関連情報Ａ１には
、第１情報の渇水警報を含む。更に、運転関連情報Ａ１には、第２情報の水位情報、各種設定値並びに故障履歴等の少なくともひとつを含む。ここで、ＳＷ０５の場合は、給水装置１０Ｂは、緊急事態であると判断して、通信制限情報にて外部表示器８０Ａによる通信を禁止しているか否かに関わらず、外部表示器８０Ａへ運転関連情報を送信するとよい。その場合、外部表示器８０Ａもしくは運転パネル７３の少なくとも一方で、通信制限情報にて外部表示器８０Ａによる通信を禁止していることを示す表示を行うとよい。
【００９３】
なお、ＳＷ０５の場合に限らず、給水装置１０Ｂは、緊急事態であると判断したら、通信制限情報にて外部表示器８０Ａによる通信を禁止しているか否かに関わらず、外部表示器８０Ａとの通信を許可してもよい。緊急事態の例としては、給水装置１０Ｂで警報または異常を発報している間や、外部表示器８０Ａから特殊なデータを書き込まれた際、又は、運転パネル７９にて一定期間のみ通信制限情報を解除する設定がなされた場合等が考えられる。給水装置１０Ｂは、緊急事態である判断したら、通信制限情報にて外部表示器８０Ａとの通信を禁止しているか否かに関わらず、外部表示器８０Ａと通信を行ってもよい。
【００９４】
外部表示器８０Ａは、受信した運転関連情報Ａ１を、ＳＥ０４にて入力された特定情報Ａ１とともに、専用のアプリケーションＡＰにて管理装置９０へ送信する（ＳＥ０６）。ここで、外部表示器８０Ａは、第１情報（渇水警報）を表示してもよい。更に、第２情報の少なくともひとつは表示を行わず、管理装置９０へ送信するのみとするとよい。
【００９５】
管理装置９０は、運転関連情報Ａ１と特定情報Ａ１とを受信すると、運転関連情報Ａ１と特定情報Ａ１とを関連付けて、記憶部９５（管理用メモリ９６）に記憶する（ＳＭ０７）。
【００９６】
ここで、ＳＥ０１にて特定情報Ａ１と客先情報Ａ１は関連付けられており、ＳＭ０７では、特定情報Ａ１と運転関連情報Ａ１とが関連付けられている。よって、管理装置９０は、特定情報Ａ１に基づいて、運転関連情報Ａ１と客先情報Ａ１とが確認できる給水装置１０Ａのメンテナンス情報を作成することができる（ＳＭ０８）。本実施形態のＳＷ０５では運転関連情報Ａ１には、第１情報の渇水警報を含み、更には、第２情報の水位情報、各種設定値並びに故障履歴等のすくなくともひとつを含む。これにより、特定情報Ａ１を作成した問い合わせの要因が給水装置１０Ａの渇水警報である旨を示すメンテナンス情報が作成される。更に、メンテナンス情報の一例として、第２情報の水位情報によれば、渇水が発生した原因が電極（特に電極棒１６２ｂ）の不良かどうかの判断ができる。
【００９７】
なお、上述した例では、ＳＷ０５にて、給水装置１０Ａは、緊急事態であると判断して、通信制限情報にて外部表示器８０Ａによる通信を禁止しているか否かに関わらず外部表示器８０Ａへ運転関連情報Ａ１を送信するとした。しかしながら、通信制限情報にて外部表示器８０Ａとの通信を禁止している場合は、外部表示器８０Ａとの通信を禁止している旨を伝える信号を外部表示器８０Ａへ送信してもよい。その場合、外部表示器８０Ａもしくは運転パネル７３との少なくとも一方で、通信制限情報にて外部表示器８０による通信を禁止していることを示す表示を行うとよい。そうすれば、ユーザーＡが必要に応じて通信制限情報を変更し、外部表示器８０Ａとの通信を行うことができる。
【００９８】
給水装置１０Ｂにて、流入圧低下異常が生じた場合も、同様に、図６に沿って説明を行うが、一部の動作は、外部表示器８０Ｂに代わってもしくは加えてユーザーＢが実施する。まず、ＳＥ０１にて、給水装置１０Ｂの断水に気が付いたユーザーＢより電話で問い合わせがなされ、ＳＭ０２にて管理用メモリ９６に客先情報Ｂ１と、給水装置１０Ｂに関する問い合わせを特定するための特定情報Ｂ１とを関連付けて記憶する。客先情報Ｂ１は、問い合わせをしたユーザーＢに関する情報および問い合わせの対象である給水装置１０Ｂ
に関する情報である。次に、ＳＭ０３にて特定情報Ｂ１をユーザーＢに通知する。ユーザーＢは、ＳＥ０４、ＳＷ０５にて、給水装置１０Ｂの運転関連情報Ｂ１を外部表示器８０Ｂに取得する。ここで、ＳＷ０５における運転関連情報Ｂ１には、第１情報の流入圧低下異常を含む。更に、第２情報の流入圧センサの入力値、流入圧低下の閾値、検出時間等の各種設定値並びに故障履歴の少なくともひとつを含む。次に、ＳＥ０６にて、外部表示器８０Ｂは、運転関連情報Ｂ１を、特定情報Ｂ１とともに、管理装置９０へ送信する。更に、ＳＭ０７では、管理装置９０は、特定情報Ｂ１と運転関連情報Ｂ１を関連付けて、管理用メモリ９６に記憶する。
【００９９】
管理装置９０は、ＳＭ０８にて、運転関連情報Ｂ１と客先情報Ｂ１とが関連付けられた給水装置１０Ｂのメンテナンス情報を作成する。本実施形態のＳＷ０５では、運転関連情報Ｂ１に、第１情報の流入圧低下異常を含み、更には、第２情報の流入圧センサ１７１の入力値、流入圧低下の閾値、検出時間等の各種設定値並びに故障履歴の少なくともひとつを含む。これにより、特定情報Ｂ１を作成した問い合わせの要因が、給水装置１０Ｂの流入圧低下異常である旨を示すメンテナンス情報が作成される。更に、メンテナンス情報の一例として、第２情報の流入圧センサ１７１の入力値によれば、流入圧低下異常が発生した原因が流入圧センサ１７１の不良であるか否かの判断ができる。
【０１００】
ＳＭ０８で作成されたメンテナンス情報は、作業員に通知される。具体的には、管理装置９０へのアクセス権をもつ作業員が、管理用メモリ９６を参照するとよい。また、管理装置９０へのアクセス権をもたない作業員に対しては、パスワード付きの電子メールやＦＡＸなど機密性の確保された通知方法にて通知されるとよい。作業員は通知されたメンテナンス情報によって、必要な部品等を持って迅速に警報または異常現場へ向かうことができる。本実施形態では、ユーザーからの問い合わせに対して、客先情報Ａ１または客先情報Ｂ１はオペレータの手入力により管理用メモリ９６に格納され、その後のネットワークＮｗを介した各種情報のやりとりは特定情報Ａ１、特定情報Ｂ１を用いて行われる。このように、客先情報Ａ１、客先情報Ｂ１を取り扱うことで、客先情報の情報漏えいに対するセキュリティが強化されている。
【０１０１】
更に、ＳＭ０８で作成されたメンテナンス情報は、管理装置９０に保存されるとよい。そうすれば、特定情報Ａ１または特定情報Ｂ１の有効期限Ｔ１が切れて特定情報Ａ１並びに特定情報Ｂ１が失われていても、メンテナンス情報に記載された客先情報Ａ１または客先情報Ｂ１（例えば、住所など）により、過去の問い合わせ時に収集した運転関連情報Ａ１並びに運転関連情報Ｂ１を確認することができる。特に、給水装置は、新設で設置された住所から他の住所に移転されることはない。よって、住所などの客先情報により、過去の問い合わせ時に収集したメンテナンス情報を検索できる。
【０１０２】
また、ＳＥ０４，ＳＷ０５、ＳＥ０６にて各種データを正確に送ることができるので、ユーザーが警報内容や給水装置の型式、給水方式等を認識する必要はない。特に、ＳＥ０１の段階では、断水しておりユーザーは混乱していることが予想される。そこで、システム１０１では、ＳＥ０１の段階では客先情報のみを取得し、その後、運転関連情報を通信で取得することで、正確な情報を得ることができる。また、給水装置１０が近距離無線通信できるように構成されていると、ユーザーは、外部表示器８０を、窓部６３を介して通信部７３に近づけるだけでＳＥ０４，ＳＷ０５を行うことができ、給水装置の操作に不慣れなユーザーでも処理を実施することができる。
【０１０３】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、
または、効果の少なくとも一部を奏する範囲において、特許請求の範囲および明細書に記載された各構成要素の任意の組み合わせ、または、省略が可能である。
【符号の説明】
【０１０４】
１０…給水装置
３０Ａ，３０Ｂ…ポンプ
４０…吐出配管
４５…連結配管
４８…圧力センサ
５０…圧力タンク
６０…制御盤
６１…ケース
６２…カバー
６３…窓部
６４…情報記録部材
６５，６５Ａ…制御部
６６…制御用メモリ
６７…通信用メモリ
６９…演算部
７０…Ｉ／Ｏ部
７１…設定部
７２…表示部
７３…通信部
７６…制御部側アンテナ部
７７…集積回路
７８…記憶部
７９…運転パネル
８０…外部表示器
８１…表示器側アンテナ部
８２…表示部
８３…バッテリー
８４…データリーダー
９０…管理装置
９２…演算部
９３…操作表示部
９４…通信部
９５…記憶部
９６…管理用メモリ
１００…システム
１６０…受水槽
１６２…水位センサ
１６２ａ〜１６２ｅ…電極棒
１６３…市水流入弁
１７０…水道本管
１７１…流入圧センサ
１７２…給水器具
【図１】
2019011609.tif 000003
【図２】
2019011609.tif 000004
【図３】
2019011609.tif 000005
【図４】
2019011609.tif 000006
【図４Ａ】
2019011609.tif 000007
【図５】
2019011609.tif 000008
【図６】
2019011609.tif 000009
【図７】
2019011609.tif 000010
【図８】
2019011609.tif 000011
【図９】
2019011609.tif 000012
【図１０】
2019011609.tif 000013